(57)【要約】【課題】  収納区画が形成される建物において、二階部分が一階部分よりも高くなる場合であっても、一階部分が二階部分より高くなる場合に用いられる場合と共通する壁パネルによって、建物を施工する方法を提供すること。【解決手段】  それぞれ居室が形成されるとともに高さ寸法の異なる壁パネル２０１，３０１が配置された下階部２０及び上階部３０を備え、高さ寸法の高い壁パネル３０１が配置される下階部２０または上階部３０に天井高が規定寸法より低くなった収納区画３５が形成される建物１を施工する方法であって、前記高さ寸法の高い壁パネル３０１を前記下階部２０に用いる場合と前記上階部３０に用いる場合とで共通化したことを特徴とする建物１の施工方法。【選択図】  図１
2005105676.tif 000002
【特許請求の範囲】
【請求項１】
それぞれ居室が形成されるとともに高さ寸法の異なる壁パネルが配置された下階部及び上階部を備え、高さ寸法の高い壁パネルが配置される下階部または上階部に天井高が規定寸法より低くなった収納区画が形成される建物を施工する方法であって、
前記高さ寸法の高い壁パネルの構成を前記下階部に用いる場合と前記上階部に用いる場合とで共通化したことを特徴とする建物の施工方法。
【請求項２】
請求項１に記載の建物の施工方法において、
前記収納区画は前記高さ寸法の高い壁パネルに係止される収納区画用天井部を備え、
この収納区画用天井部が前記高さ寸法の高い壁パネルに係止される位置が前記高さ寸法の高い壁パネルの中心位置から離れていることを特徴とする建物の施工方法。
【請求項３】
請求項２に記載の建物の施工方法において、
前記高さ寸法の高い壁パネルを前記下階部に用いる場合と前記上階部に用いる場合とで前記高さ寸法の高い壁パネルの上下方向を逆にして用いることを特徴とする建物の施工方法。
【請求項４】
請求項１ないし請求項３の何れかに記載された建物の施工方法において、
前記高さ寸法の高い壁パネルを前記上階部に用い、高さ寸法の短い壁パネルを下階部に用い、
前記上階部の上部に屋根が施工され、
前記屋根の小屋裏は前記高さ寸法の高い壁パネルの上端部より高い位置に形成されていることを特徴とする建物の施工方法。
【請求項５】
請求項１ないし請求項４の何れかに記載された建物の施工方法において、
前記壁パネルが予め工場で製造され、
工場から建設現場までトラックで搬送された後、
建物が建設現場で組み立てられることを特徴とする建物の施工方法。
【発明の詳細な説明】
【技術分野】
【０００１】
本発明は、高さ寸法の異なる壁パネルが配置された下階部及び上階部を備えた建物を施工する方法に関する。
【背景技術】
【０００２】
建物では、物品を収納するための十分な収納空間を確保するため、居室以外に押し入れや納戸などの収納区画が形成されることが多い。このような収納区画は、建物の間取り等の制限から、蔵型収納区画とも呼ばれる、天井高が規定寸法より低くなったものが知られている（例えば、特許文献１）。
【０００３】
また、建物を施工するにあたっては、複数のパネルを組み合わせるパネル工法がある（例えば、特許文献２）。このパネル工法は、あらかじめ工場において床パネル、壁パネル、天井パネル等を製造して、建築現場においてこれらのパネルを組み立てていくことにより建物を構築していく手段である。このパネル工法で施工された建物にも前記の蔵型収納区画が形成されることがある。
【０００４】
このようなパネル工法で施工され、蔵型収納区画が形成された建物においても、図５に示される通り、建物１００の一階部分１０１の高さ寸法Ｈ１が、二階部分１０２の高さ寸法Ｈ２よりも高いことが多い。この場合、居室１０３のほか、建物の一階部分１０１に対して蔵型収納区画１０４が形成されることが一般的である。
【０００５】
【特許文献１】特開平７−１８０３７０号公報
【特許文献２】特開平７−１５８１８５号公報
【発明の開示】
【発明が解決しようとする課題】
【０００６】
そして、図５で示される建物１００では、一階部分１０１が二階部分１０２より高くなるが、建物１を建てる建主の希望によっては、これとは逆に、二階部分１０２を一階部分１０１よりも高くするとともに、蔵型収納区画１０４を形成したい場合がある。
この場合にあっては、二階部分１０２を構成する壁パネルと一階部分１０１を構成する壁パネルとは別々に設計・製造することになるため、建物の施工コストが高くなってしまう問題があった。
従って、既製サイズのパネル材料を用いてこのような問題の解決を図ることが望まれていた。
【０００７】
本発明は、前記の問題に鑑みてなされたものであり、収納区画が形成される建物において、二階部分が一階部分よりも高くなる場合であっても、一階部分が二階部分より高くなる場合に用いられる場合と共通する壁パネルによって、建物を施工する方法を提供することにある。
【課題を解決するための手段】
【０００８】
前記の課題を解決するために、本発明の建物１の施工方法は、図面を参照して説明すると、図１〜図４に示すように、それぞれ居室が形成されるとともに高さ寸法の異なる壁パネル２０１，３０１が配置された下階部２０及び上階部３０を備え、高さ寸法の高い壁パネル３０１が配置される下階部２０または上階部３０に天井高が規定寸法より低くなった収納区画３５が形成される建物１を施工する方法であって、高さ寸法の高い壁パネル３０１の構成を下階部２０に用いる場合と前記上階部３０に用いる場合とで共通化したことを特徴とする。
【０００９】
この本発明によれば、高さ寸法の高い壁パネルの構成を、下階部に用いる場合と前記上階部に用いる場合とで共通化したので、下階部分を上階部分より高くして下階部分に収納区画を形成する場合に用いられる壁パネルを、上階部分を下階部分より高くして上階部分に収納区画を形成する場合にそのまま用いることができるので、部品点数の減少を図ることができる。このため、異なるレイアウトの建物を施工する場合にあっても、施工コストを低いものにできる。
【００１０】
本発明では、収納区画３５は前記高さ寸法の高い壁パネル３０１に係止される収納区画用天井部３０３を備え、この収納区画用天井部３０３が前記高さ寸法の高い壁パネル３０１に係止される位置が高さ寸法の高い壁パネル３０１の中心位置から離れていることが好ましい。
この本発明によれば、高さ寸法の高い壁パネルの上下方向の用い方を変えることにより、上部に蔵型収納区画を形成したり、または下部に蔵型収納区画を形成したりするなど、バリエーションを多彩とすることができる。
【００１１】
本発明では、高さ寸法の高い壁パネル３０１を下階部２０に用いる場合と上階部３０に用いる場合とで高さ寸法の高い壁パネル３０１の上下方向を逆にして用いることが好ましい。
この本発明によれば、高さ寸法の高い壁パネルを、上下方向を逆にするだけで下階部と上階部の両方について用いることができるため、部品点数の減少を一層好適に図ることができる。
【００１２】
本発明では、高さ寸法の高い壁パネル３０１を上階部３０に用い、高さ寸法の短い壁パネル２０１を下階部２０に用い、上階部３０の上に屋根７０が施工され、屋根７０の小屋裏８０は高さ寸法の高い壁パネル３０１の上端部より高い位置に形成されていることが好ましい。
この本発明によれば、高さ寸法の高い壁パネルを上階部に用い、上階部の上に屋根が施工され、この屋根の小屋裏は高さ寸法の高い壁パネルの上端部より高い位置に形成されているため、上階部分の居室の天井高さを高くできる。
【００１３】
本発明では、壁パネルは予め工場で製造され、工場から建設現場までトラックで搬送された後、建物１が建設現場で組み立てられることが好ましい。
この本発明では、工場で規格化されて製造されたパネルを用いることができるため、現場で効率良く建物の施工を行うことができる。すなわち、建物の精度が高くなることや、現場作業が少なく、建築工期が短くて済むといった利点がある。
【発明を実施するための最良の形態】
【００１４】
以下、本発明の実施形態を図面に基づいて説明する。
図１は、本実施形態における建物１の各階の構成を示した断面図である。
この建物１は、それぞれ居室が形成された下階部である一階２０、及び当該一階２０より高さが高い上階部である二階３０を備えた二階建て建物１であって、当該上階部である二階３０の二階床部６０の上部に対して、天上高が規定寸法より低くなった収納区画３５を設けた構成をとっている。
【００１５】
また、建物１の各階には、必要に応じて居室以外の図示しない空間（例えば、トイレ等）が設けられており、更には、図１における一階壁部２１、及び二階壁部３１には、図示しない窓や出入り口が設けられている。
【００１６】
かかる建物１において、まず、建物１を構成している一階２０は、基礎２の上面に床パネル５０１を敷き詰めて構築された一階床部５０に対して、一階壁パネル２０１を垂直に立設して構築された一階壁部２１から形成されている。
また、建物１における一階２０の内部は、一階仕切壁パネル２０２により仕切られており、これにより一階居室２３，２４が形成されている。
【００１７】
本実施形態における建物１の、前記した一階壁パネル２０１及び一階仕切壁パネル２０２により決定される一階２０の高さは、後記する二階３０の高さよりも低く、本実施形態においては、高さが約２．７３ｍ（約９尺）の一階壁パネル２０１及び一階仕切壁パネル２０２が使用されており、一階２０の階高もかかる一階壁パネル２０１等の高さにより決定される。なお、一階壁パネル２０１及び一階仕切壁パネル２０２は、かかる高さには限定されない。
【００１８】
次に、建物１を構成する二階３０には、前記した一階２０と同様に、床パネル６０１を敷き詰めて構築された二階床部６０に対して、高さが前記した一階壁パネル２０１より高い二階壁パネル３０１を垂直に立てて構築された二階壁部３１から構成されているものである。
このうち、床パネル６０１は、一階２０を構成する前記した一階壁パネル２０１及び一階仕切壁パネル２０２の上に敷き詰められて、二階床部６０を構築している。
【００１９】
この建物１における二階３０の内部は、二階仕切壁パネル３０２により仕切られて二階居室Ａ３３、及び二階居室Ｂ３４が形成されていることについては一階２０の内部と同様であるが、二階床部６０の上面には、二階仕切壁パネル３０２と、二階壁パネル３０１と二階仕切壁パネル３０２に係止される収納区画用天井パネル３０３により囲まれた収納区画３５が設けられている。
なお、かかる収納区画用天井パネル３０３が二階壁パネル３０１に係止される位置は、二階壁パネル３０１の高さ方向での中心位置から離れた位置である。
【００２０】
この収納区画３５は、物品の収納部屋等に使用することができ、後記する二階居室Ａ３３と隣接して設けられている。収納区画３５の高さは、前記したように、通常規定される寸法（居室の高さ寸法）より低い高さであり、本実施形態においては、約１．３６ｍ（約４．５尺）としている。収納区画３５の高さは、その目安として、人が屈んで歩ける程度の高さから、大人が背伸びをして手が届く程度の高さがあればよいと考えられており、一般には、約１．１ｍ〜２．２ｍ程度であれば問題はない。
【００２１】
なお、本実施形態において、収納区画３５は、図１の奥側に向かって２つが連なって隣り合わせに配置されていてもよく、このように、収納区画３５を隣り合わせに配置する場合にあっては、２つの収納区画３５の間に対して、図示しない踊り場を設けてもよい。また、収納区画３５の間に設けられる踊り場に対しては、一階２０に連なる図示しない室内階段を設けてもよい。更には、２つの収納区画３５には、前記した踊り場から収納区画３５内に出入りするための図示しない出入り口を設けてもよい。
【００２２】
また、建物１の二階３０の内部において、収納区画３５の隣り（図１における右側）には、二階居室Ａ３３が設けられている。
二階居室Ａ３３の高さは、二階壁パネル３０１及び二階仕切壁パネル３０２の高さにより決定される。一方、図１に示されるように、かかる高さは、何れも前記した一階壁パネル２０１（及び一階仕切壁パネル２０２）よりも高く、本実施形態においては、二階壁パネル３０１は約３．９４ｍ（約１３尺）、二階仕切壁パネル３０２は二階壁パネル３０１より高い寸法とされているが、これには限定されない。
従って、建物１における二階居室Ａ３３の高さ、及び二階３０の高さは、一階２０の階高よりも高いものとすることができ、このため、建物１の二階においても高さの高い居室（二階居室Ａ３３）を配設することができる。
【００２３】
更には、建物１の二階３０の内部においては、前記した二階居室Ａ３３に隣接して、収納区画３５の直上方に位置する状態で、二階居室Ｂ３４が設けられている。
そして、建物１における二階居室Ｂ３４の高さは、図１に示されるように、二階３０の階高から収納区画３５の高さ分だけ減じた高さとなり、例えば、本実施形態においては、約２．５８ｍ（約８．５尺）となるが、この高さには限定されない。
【００２４】
建物１の二階３０内部の上方には、傾斜天井パネル４０１及び水平天井パネル４０２が配設され、建物１の天井部４０を構成することとなる。
そして、傾斜天井パネル４０１及び水平天井パネル４０２の外面に対して、屋根７０を構成する屋根パネル７０１を備えることにより、建物１が構築されることになる。また、本実施形態の建物１には小屋裏８０が形成されることになり、この小屋裏８０の形成位置は、二階壁パネル３０１の上端部より高い位置に形成されることになる。
【００２５】
以上が図１に示した建物１の構成であり、一階壁パネル２０１よりも高さが高い二階壁パネル３０１を二階３０に設置している態様を示したものであるが、かかる高さの高い二階壁パネル３０１は、上下を反転させるだけで、一階２０を構成する壁パネルとしても使用可能である。
まず、図２は、前記した図１の部分拡大図であり、この態様では、一階２０に高さの低い一階壁パネル２０１が設置されている。また、二階３０には高さの高い二階壁パネル３０１が設置されるとともに、二階壁パネル３０１の中心位置から離れた位置に対して、収納区画用天井パネル３０３が係止され、収納区画３５が形成されている。
【００２６】
また、図３は、建物１を構築する二階壁パネル３０１の一例を示した全体斜視図である。二階壁パネル３０１には、二階壁パネル３０１の中心位置から離れた位置に埋木３０７が入っており、また、工場で接合されるパネル分割部のある部位に支持部材３０６が形成されている。そして、かかる支持部材３０６が形成された位置に対して、収納区画用天井パネル３０３が係止されることになる。
なお、建物１を構成する二階壁パネル３０１等の木質パネルは、木の枠材に構造用合板３０４を取り付け、断熱材３０５等の材料を一体化して形成される板状部材であり、図３においても、断熱材３０５を構造用合板３０４で挟み込む構成を採用している。なお、断熱材３０５のほか、防湿材等を挟み込むような構成を採用してもよく、また、断熱材３０５等を用いずに、防湿材を挟み込むようにしてもよい。
【００２７】
一方、図４は、前記した図３に示す二階壁パネル３０１を上下反転させた状態で（図３の矢印方向を上にした状態で）一階２０に据え付け、当該二階壁パネル３０１を一階２０に設置した状態を示したものである。また、かかる二階壁パネル３０１の支持部材３０６が形成された位置に対して収納区画用天井パネル３０３が係止されており、一階２０の上方に対して、収納区画３５が形成されるものである。
なお、二階３０には、図１及び図２で用いられた高さの低い一階壁パネル２０１が据え付けられることになる。
このようにして、本発明の建物１の施工方法においては、高さ寸法の高い壁パネルである二階壁パネル３０１を、一階２０に用いる場合と二階３０に用いる場合とで共通化することができる。
【００２８】
次に、図１に従って、前記した建物１の施工手順について説明すると、前記した壁パネル等のパネル材料を予め工場で製造し、製造されたパネル材料を工場から建物１を設置する建設現場まで搬送する。そして、例えば下記の手順で建物１を組み立てればよい。
まず、基礎２等の一階２０の床パネル５０１を支持する部分を公知の手段により形成した後、かかる基礎２の上面に床パネル５０１を敷き詰めて、一階床部５０を構築する。
当該基礎２及び床パネル５０１からなる一階床部５０上に必要により図示しない床板を載置した後、更にその上部に一階壁パネル２０１の下端部２０１ａを載置して、一階壁パネル２０１と基礎２とが床パネル５０１を介して固定される。
また、一階壁パネル２０１により形成された一階２０の内部には、一階仕切壁パネル２０２が取り付けられる。
【００２９】
次に、図示しない二階用床根太を配置すると共に、その上部に床パネル６０１を敷き詰めることにより、二階床部６０が構築される。
一階２０と同様に、床パネル６０１からなる二階床部６０の上に必要により図示しない床板を載置した後、更にその上部に二階壁パネル３０１の下端部３０１ａを載置して、二階壁パネル３０１と一階壁パネル２０１とが床パネル６０１を介して固定される。
また、二階壁パネル３０１により形成された二階３０の内部には、二階仕切壁パネル３０２、及び二階居室Ａ３３、二階居室Ｂ３４、収納区画３５を形成するための収納区画用天井パネル３０３が取り付けられる。
【００３０】
そして、二階壁パネル３０１及び二階仕切壁パネル３０２の上部に、天井部４０を構成する傾斜天井パネル４０１及び水平天井パネル４０２を固定する。かかるパネル４０１、４０２の固定後、あらかじめ外装材が仕上げられた屋根パネル７０１を設置して屋根７０が設けられる。このようにして、建物１が好適に構築されることになる。
【００３１】
ここで、本実施形態における建物１を構成するパネル相互の接合手段としては、公知の手段を適宜採用すればよいが、例えば、組み立て前にパネルの接合面に接着剤を塗布し、接合面同士を接着した後、スクリュー釘等によりパネル相互を緊結していくことにより建物を形づくっていく手段等を好適に用いることができる。また、パネル相互の接合に際しては、任意の形状の支持部材を用いて、パネル相互における接合強度を向上させるようにしてもよい。
【００３２】
このような本実施形態による本発明の建物１の施工方法によれば、次のような効果を得ることができる。
（１）建物１を施工するにあたり、下階部である一階２０と上階部である二階３０において、高い壁パネルである二階壁パネル３０１の構成を共通化しているため、一階２０を二階３０より高くして一階２０に収納区画３５を形成する場合に用いられる壁パネルを、二階３０を一階２０より高くして二階３０に収納区画３５を形成する場合にそのまま用いることができるので、部品点数の減少を図ることができる。このため、異なるレイアウトの建物１を施工する場合にあっても、施工コストをできる限り低いものにできる。
【００３３】
（２）建物１中の収納区画３５は、二階壁パネル３０１に係止される収納区画天井部である収納区画用天井パネル３０３を備えており、この収納区画用天井パネル３０３が二階壁パネル３０１に係止される二階壁パネル３０１の中心位置から離れて構成としているので、二階壁パネル３０１の上下方向の用い方を変えることにより、二階壁パネル３０１の上部に収納区画３５を形成したり、あるいは下部に収納区画３５を形成したりするなど、バリエーションを多彩とすることができる。
【００３４】
（３）建物１における二階壁パネル３０１を下階部２０に用いる場合と上階部３０に用いる場合とで二階壁パネル３０１の上下方向を逆にして（反転させて）用いているので、二階壁パネル３０１を、上下方向を逆に反転するだけで下階部と上階部の両方について用いることができ、部品点数の減少を一層好適に図ることができる。
【００３５】
（４）建物１における二階壁パネル３０１（高さ寸法の高い壁パネル）を上階部３０に用い、一階壁パネル２０１（高さ寸法の低い壁パネル）を下階部２０に用い、上階部３０の上部に屋根７０が施工され、当該屋根７０の小屋裏８０は二階壁パネル３０１の上端部より高い位置に形成されているため、上階部３０の二階居室Ａ３３の天井高さを高くすることができる。
【００３６】
（５）建物１が、壁パネルが予め工場で製造され、工場から建設現場までトラックで搬送された後、建設現場で組み立てられるため、工場で規格化されて製造されたパネルを用いることができ、現場で効率良く建物１の施工を行うことができることとなる。このため、例えば、建物１の精度が高くなることや、現場作業が少なく、建築工期が短くて済むというメリットがある。
【００３７】
なお、本発明は、前述の各実施形態に限定されるものではなく、以下に示すような変形をも含むものである。
例えば、本実施形態においては、建物１の一階２０及び二階３０に対して一階仕切壁パネル２０２、及び二階仕切壁パネル３０２を一枚ずつ配設する構成を示したが、これには限定されず、一階仕切壁パネル２０２、及び二階仕切壁パネル３０２は各階に複数枚設けられていても問題はない。
【００３８】
収納区画３５は、図１の奥側に向かって２つの収納区画３５が連なって隣り合わせに配置されている例を示したが、これには限定されず、収納区画３５の数は１つであっても、３つ以上であってもよい。また、収納区画３５を複数設ける場合における収納区画３５の配置も、必ずしも連なって隣り合わせに配置する必要はない。
【００３９】
各パネルの接合手段として、建物１の組み立て前に各パネルの接合面に接着剤を塗布し、接合面同士を接着した後、スクリュー釘等によりパネル相互を緊結していくことにより建物を形づくっていく手段を示したが、これには限定されず、パネルの接合手段としては任意の手段を用いることができる。
その他、本発明の実施における具体的な構造及び形状等は、本発明の目的を達成できる範囲で他の構造等としてもよい。
【産業上の利用可能性】
【００４０】
本発明の建物の施工方法は、パネル工法により構築されており、各階にそれぞれ居室を備え、収納区画が形成された二階建てあるいは三階建て以上の建物の施工に適用される建物の施工方法として利用できる。
【図面の簡単な説明】
【００４１】
【図１】本発明の建物の施工方法により構築された建物の各階の構成を示した断面図である。
【図２】図１の建物の部分拡大図である。
【図３】高さの高い壁パネル（二階壁パネル）の一例を示した全体斜視図である。
【図４】高さの高い壁パネル（二階壁パネル）を下階部である一階に設置した態様を示した建物の部分拡大図である。
【図５】従来の蔵型収納区画付き建物の一例を示す概略断面図である。
【符号の説明】
【００４２】
１…建物、２…基礎、２０…下階部（一階）、２１…一階壁部、２３，２４…居室、３０…上階部（二階）、３１…二階壁部、３３…二階居室Ａ、３４…二階居室Ｂ、３５…収納区画、４０…天井、５０…一階床部、６０…二階床部、７０…屋根、８０…小屋裏、２０１…一階壁パネル、２０２…一階仕切壁パネル、３０１…二階壁パネル、３０２…二階仕切パネル、３０３…収納区画用天井パネル、３０４…構造用合板、３０５…断熱材、３０６…支持部材、３０７…埋木、４０１…傾斜天井パネル、４０２…水平天井パネル、５０１，６０１…床パネル、７０１…屋根パネル
【図１】
2005105676.tif 000003
【図２】
2005105676.tif 000004
【図３】
2005105676.tif 000005
【図４】
2005105676.tif 000006
【図５】
2005105676.tif 000007